(57)【特許請求の範囲】
【請求項１】
走行機体に連結機構により機枠を連結し、該機枠に穿入ビームを揺振機構により進行方向に揺振動作自在に縦設し、該穿入ビームの進行方向後方位置に該穿入ビームにより圃場土中の上下方向に延びて形成される穿入跡溝の側面を拡張して地表面に開口する縦口路を形成可能な拡張部材を設け、該拡張部材を拡張動作させる拡張機構を配設してなり、上記機枠に圃場面に散在する藁屑等の圃場散在物を側方に排出可能な前処理部材を上記穿入ビームの進行方向前方位置に設け、かつ、上記穿入ビームの進行方向前方位置に上記圃場面に予条溝を溝切可能な予溝切体を設け、上記機枠の上記拡張部材の進行方向後方位置に圃場の土を掬い取って側方に排出して縦口路形成位置に掘取溝を形成可能なすき部材を設け、該すき部材の進行方向前方位置に上記圃場面に側条溝を溝切可能な側溝切体を設け、該すき部材の進行方向後方位置に圃場面に当接可能な当接板面及び掘り取られた掘取溝の内側面に当接可能な側当接板面を有して該すき部材の横振れを抑制可能な安定部材を設け、該すき部材を作業位置と退避位置とに姿勢変更可能な退避機構を設け、該機枠に圃場面上を転動可能な転輪体を高低調節自在に設け、該すき部材により掘取溝を形成して上記縦口路を該掘取溝内に開口形成するように構成してなることを特徴とする圃場縦口路形成装置。
【発明の詳細な説明】
【技術分野】
【０００１】
本発明は例えば水田や畑の圃場土中に縦口路を形成する圃場縦口路形成装置に関するものである。
【背景技術】
【０００２】
従来、この種の圃場縦口路形成装置として、走行機体に連結機構により機枠を連結し、機枠に穿入ビームを揺振機構により進行方向に揺振動作自在に縦設し、該穿入ビームの進行方向後方位置に該穿入ビームにより圃場土中の上下方向に延びて形成される穿入跡溝の側面を拡張して地表面に開口する縦口路を形成可能な拡張部材を設け、該拡張部材を拡張動作させる拡張機構を配設してなる構造のものが知られている。
【０００３】
しかして、水田等は表層の耕耘層、その下層の耕盤層、さらに下層の芯土層からなり、この耕耘層、耕盤層及び芯土層に穿入ビームを穿入進行させ、耕盤層を破って圃場土中の上下方向に延びて穿入跡溝を形成し、拡張部材により圃場土中の上下方向に延びて形成される穿入跡溝の側面を拡張して地表面に開口する縦口路を形成し、この縦口路及び穿入跡溝の存在により水はけの良化、水管理、田面の乾田化、微生物繁殖の活性化、水稲等の根の深部への生育を良化することになる。
【先行技術文献】
【特許文献】
【０００４】
【特許文献１】特許第５２６６５７９号公報
【特許文献２】特許第４１７４７８０号公報
【発明の概要】
【発明が解決しようとする課題】
【０００５】
しかしながら上記従来構造の場合、上記穿入跡溝及び上記縦口路は圃場の地表面に比較的小さな断面積のままに開口形成されているから、穿入跡溝及び縦口路の地表面の開口が圃場表面の泥土により閉塞されることがあり、圃場の地表面から土中としての芯土層までの距離が比較的長いこともあって、圃場の排水性及び通気性を低下させることがあるという不都合を有している。
【課題を解決するための手段】
【０００６】
本発明はこのような不都合を解決することを目的とするもので、本発明のうちで、請求項１記載の発明は、走行機体に連結機構により機枠を連結し、該機枠に穿入ビームを揺振機構により進行方向に揺振動作自在に縦設し、該穿入ビームの進行方向後方位置に該穿入ビームにより圃場土中の上下方向に延びて形成される穿入跡溝の側面を拡張して地表面に開口する縦口路を形成可能な拡張部材を設け、該拡張部材を拡張動作させる拡張機構を配設してなり、上記機枠に圃場面に散在する藁屑等の圃場散在物を側方に排出可能な前処理部材を上記穿入ビームの進行方向前方位置に設け、かつ、上記穿入ビームの進行方向前方位置に上記圃場面に予条溝を溝切可能な予溝切体を設け、上記機枠の上記拡張部材の進行方向後方位置に圃場の土を掬い取って側方に排出して縦口路形成位置に掘取溝を形成可能なすき部材を設け、該すき部材の進行方向前方位置に上記圃場面に側条溝を溝切可能な側溝切体を設け、該すき部材の進行方向後方位置に圃場面に当接可能な当接板面及び掘り取られた掘取溝の内側面に当接可能な側当接板面を有して該すき部材の横振れを抑制可能な安定部材を設け、該すき部材を作業位置と退避位置とに姿勢変更可能な退避機構を設け、該機枠に圃場面上を転動可能な転輪体を高低調節自在に設け、該すき部材により掘取溝を形成して上記縦口路を該掘取溝内に開口形成するように構成してなることを特徴とする圃場縦口路形成装置にある。
【発明の効果】
【０００７】
本発明は上述の如く、請求項１記載の発明にあっては、走行機体の進行に伴い穿入ビームは進行方向に揺振動作しつつ圃場土中に穿入して穿入跡溝を形成し、上記穿入ビームの進行方向後方位置に配置された拡張部材は拡張機構により拡張動作し、穿入ビームにより圃場土中の上下方向に延びて形成される穿入跡溝を拡張して地表面に開口する縦溝状の縦口路を形成することになり、この際、上記機枠の上記拡張部材の進行方向後方位置に圃場の土を掬い取って側方に排出して縦口路形成位置に掘取溝を形成可能なすき部材を設け、すき部材により掘取溝を形成して上記縦口路を掘取溝内に開口形成するように構成しているから、走行機体の進行に伴いすき部材の下部は圃場の土を掬い取って側方に排出して縦口路形成位置に掘取溝を形成することになり、穿入跡溝及び縦口路が掘取溝内に開口することにより穿入跡溝及び縦口路の開口が圃場表面の泥土により閉塞されることを抑制することができ、圃場表面の水は掘取溝を介して穿入跡溝及び縦口路の開口から土中としての芯土層に至ることになり、圃場の地表面から芯土層までの距離も短くなり、それだけ、圃場の排水性及び通気性を良好に保持することができ、水はけの良化、水管理、田面の乾田化、微生物繁殖の活性化、水稲等の根の深部への生育を良化することができ、かつ、上記機枠に圃場面に散在する藁屑等の圃場散在物を側方に排出可能な前処理部材を上記穿入ビームの進行方向前方位置に設けてなるから、圃場面に散在する藁屑、株等の圃場散在物を前処理部材により側方に排出することができ、穿入ビームによる穿入跡溝の形成抵抗を軽減することができ、穿入跡溝の形成作業性を向上することができ、さらに、上記すき部材の進行方向後方位置に圃場面に当接可能な当接板面及び掘り取られた掘取溝の内側面に当接可能な側当接板面を有して該すき部材の横振れを抑制可能な安定部材を設けてなるから、安定部材の当接板面及び側当接板面によりすき部材の横振れを抑えることができ、溝掘作業を良好に行うことができ、かつ、上記すき部材の進行方向前方位置に上記圃場面に側条溝を溝切可能な側溝切体を設けてなるから、側溝切体は連れ回り回転しつつ進行してすき部材の進行方向前方位置の圃場面に側条溝を切ることになり、先ず、側溝切体で側条溝を溝切りし、すき部材が溝切りされた側条溝の土を掬い取って側方に排出することになり、すき部材による溝掘抵抗を軽減することができると共に走行機体の牽引力増加を抑制することができ、溝掘作業性を向上することができ、さらに、上記すき部材を作業位置と退避位置とに姿勢変更可能な退避機構を設けてなるから、不使用時や移動時において、すき部材を作業位置から退避位置に退避させることができ、溝掘作業性を向上することができ、さらに、上記穿入ビームの進行方向前方位置に上記圃場面に予条溝を溝切可能な予溝切体を設けてなるから、予溝切体は連れ回り回転しつつ進行して圃場面に予条溝を切り、予条溝の後から穿入ビームが進行方向に揺振動作しつつ穿入して穿入跡溝を形成するから、穿入跡溝の形成抵抗を低減することができ、穿入跡溝の形成作業性を向上することができ、さらに、上記機枠に圃場面上を転動可能な転輪体を高低調節自在に設けてなるから、機枠の安定走行を図ることができる。
【図面の簡単な説明】
【０００８】
【図１】本発明の実施の第一形態例の全体側面図である。
【図２】本発明の実施の第一形態例の拡大側面図である。
【図３】本発明の実施の第一形態例の拡大平面図である。
【図４】本発明の実施の第一形態例の部分縦断面図である。
【図５】本発明の実施の第一形態例の部分横断面図である。
【図６】本発明の実施の第一形態例の部分横断面図である。
【図７】本発明の実施の第一形態例の部分縦断面図である。
【図８】本発明の実施の第一形態例の部分横断面図である。
【図９】本発明の実施の第一形態例の部分平断面図である。
【図１０】本発明の実施の第一形態例の部分平断面図である。
【図１１】本発明の実施の第一形態例の部分横断面図である。
【図１２】本発明の実施の第一形態例の部分平面図である。
【図１３】本発明の実施の第一形態例の使用状態の説明平面図である。
【図１４】本発明の実施の第一形態例の使用状態の拡大横断面図である。
【図１５】本発明の実施の第一形態例の使用状態の説明平面図である。
【図１６】本発明の実施の第二形態例の部分横断面図である。
【発明を実施するための形態】
【０００９】
図１乃至図１６は本発明の実施の形態例を示し、図１乃至図１５は第一形態例、図１６は第二形態例である。
【００１０】
図１乃至図１５の第一形態例において、１は走行機体であって、この場合、トラクタが用いられ、図１、図２の如く、走行機体１の後部に三点リンク式の連結機構２により機枠３を上下動可能に連結して構成している。
【００１１】
この場合、上記連結機構２は、図１、図３の如く、上記走行機体１の後部に左右の下部リンク２ａ・２ａ、上部リンク２ｂ、吊上リンク２ｃ・２ｃ及び油圧アーム２ｄ・２ｄからなる三点リンク機構が設けられ、この三点リンク機構により走行機体１に機枠３を連結し、三点リンク機構の油圧アーム２ｄ・２ｄの上下揺動により機枠３を上下動自在に設けて構成している。
【００１２】
４は穿入ビーム、５は揺振機構であって、この場合、図２、図３、図４の如く、機枠３に揺動アーム６の中程部を支点軸７により揺振動作自在に枢着すると共に機枠３に主軸８を軸受８ａ・８ａにより回転自在に横設し、主軸８を回転駆動する駆動機構９を設け、この場合、図１、図２の如く、駆動機構９として、上記機枠３に上回転軸９ａ及び下回転軸９ｂを軸受１１・１１により横架し、上回転軸９ａと下回転軸９ｂとを歯車機構１０により駆動連結し、走行機体１たるトラクタの動力取出軸１ａと上回転軸９ａとを自在継手１２により連結し、下回転軸９ｂと主軸８とをチェーンからなる伝達機構１３により駆動連結し、揺動アーム６と穿入ビーム４との間に偏心輪機構１４を介装し、この場合、図７、図８、図９、図１０の如く、偏心輪機構１４として、上記主軸８の軸受８ａ・８ａ間に偏心軸部１４ａを形成し、偏心軸部１４ａの中心軸線は主軸８の回転軸線に対して偏心量εだけ偏心し、偏心軸部１４ａに接続部材１４ｂの上側の軸受１４ｃを嵌合し、接続部材１４ｂの下側の軸受１４ｄに揺動アーム６の基軸６ａを嵌挿し、揺動アーム６をガイドロール６ｂ・６ｂ及びガイド片３ａ・３ａにより上下揺動案内し、主軸８の回転により偏心輪機構１４を介して揺動アーム６を支点軸７を中心として上下揺振動作させ、揺動アーム６の後端部に穿入ビーム４を上下方向に取付け、穿入ビーム４の下端部に犂体１５を取付けると共に、この場合、フック状の連結材１６により砲弾状の弾丸体１７を連結して構成している。
【００１３】
しかして、走行機体１の進行に伴い穿入ビーム４は揺振機構５により進行方向に揺振動作しつつ圃場土中Ｗに穿入して穿入跡溝Ｓを形成すると共に、この場合、弾丸体１７により暗渠Ｈを連続して形成することになる。
【００１４】
１８は拡張部材、１９は拡張機構であって、この拡張部材１８は上記穿入ビーム４の進行方向後方位置としての縦口路形成位置Ｄに配設され、穿入ビーム４により圃場土中Ｗの上下方向に延びて形成される穿入跡溝Ｓの一方側面を拡張して地表面Ｍに開口する縦口路Ｔを形成可能に設けられ、拡張機構１９は、図１３の如く、拡張部材１８を進行方向後方向きの非拡張位置Ｋから進行方向側方向き、この場合、進行方向後方向きからθ＝略６０°振った側方向きの拡張位置Ｇに間欠的に強制拡張動作させるように構成している。
【００１５】
この場合、上記機枠３の後部に軸受筒体２０を縦設し、軸受筒体２０に軸状体２１を縦回り回動自在に縦設し、軸受筒体２０に軸受片体２２を形成し、軸状体２１の下端部を拡張部材１８の上部に取付け、拡張部材１８の下部を軸受片体２２に支持ピン２２ａにより回転自在に軸受し、拡張部材１８には羽根板状の突状体１８ａが上下に延びて形成され、又、拡張機構１９として、間欠拡張機構１９ａが用いられ、この場合、上記機枠３に減速機構２３を取付け、減速機構２３の入力軸２３ａと主軸８とを継手８ｂにより連結し、減速機構２３の出力軸２３ｂに旋回アーム２４を取付け、旋回アーム２４に押動ロール２５を植設し、軸状体２１の上端部に押動ロール２５により押圧可能な係合爪部材２６を水平突設している。
【００１６】
しかして、図１２、図１３の如く、主軸８の回転により減速機構２３の出力軸２３ｂが回転し、出力軸２３ｂの回転により旋回アーム２４が矢印方向に水平旋回し、旋回アーム２４の押動ロール２５は係合爪部材２６を係合押動し、この押動により拡張部材１８は強制的に所定角度縦回り回動し、これにより、図１３、図１５の如く、縦口路Ｔが拡張形成され、更なる回動により押動ロール２５が係合爪部材２６から離反すると、拡張部材１８の羽根板状の突状体１８ａは穿入ビーム４の穿入跡溝Ｓの側面に当接して戻り復帰回動し、拡張部材１８の突状体１８ａは間欠的に所定角度往復回動し、穿入ビーム４により圃場土中Ｗの上下方向に延びて形成される穿入跡溝Ｓの一方側面を拡張して地表面Ｍに開口する縦口路Ｔを形成することになる。
【００１７】
２７はすき部材であって、図２の如く、拡張機構１９の進行方向後方位置に配設され、上記機枠３を支持機枠３ｂと作業機枠３ｃとにより形成し、支持機枠３ｂに作業機枠３ｃを枢着し、作業機枠３ｃの下部にＵ状の取付アーム２８の先端部を支持軸２９により枢着し、作業機枠３ｃの上部にピン３０によりナット体３１を回動自在に枢着し、ナット体３１に螺杆３２を螺着し、ハンドル３３の回動によりナット体３１を回動して螺杆３２を上下動自在に設け、取付アーム２８の中程部に螺杆３２の下端部をピン３０ａにより枢着し、取付アーム２８にすき部材２７をボルト３４により取付けて構成し、すき部材２７の先端部は先細削取部２７ａに形成されるとともに後部は削取土を側方に排出するようにひねった排出部２７ｂに形成されている。
【００１８】
３５は前処理部材であって、図２、図５の如く、上記穿入ビーム４の進行方向前方位置に配設され、取付円盤３５ａと取付円盤３５ａに放射状に複数個の排出部材３５ｂ・・をボルト３５ｃにより取付け、前処理部材３５の上方位置に放擲カバー３６を配置し、上記駆動機構９により回転駆動するように構成している。
【００１９】
３７・３８は左右一対の側溝切体であって、上記すき部材２７の進行方向前方位置に配設され、図１１の如く、外周部に数個の刃部３７ａ・３８ａが切欠形成され、前記作業機枠３ｃの下端部に車筒３９を取付け、車筒３９に車軸４０を回転自在に軸受し、車軸４０の左右両端部に左右一対の側溝切体３７・３８を所定間隔を置いて取付けて構成している。
【００２０】
４１は退避機構であって、図２の如く、上記すき部材２７を作業位置Ｐと退避位置Ｑとに姿勢変更可能に構成され、この場合、上記支持機枠３ｂに作業機枠３ｃを支点軸４１ａにより回動自在に枢着し、支持機枠３ｂに二個の挿通穴４１ｂ・４１ｂを形成すると共に作業機枠３ｃに挿通穴４１ｃを形成し、挿通穴４１ｂ・４１ｃに挿通可能な係止ピン４１ｄを形成し、挿通穴４１ｂ・４１ｃに係止ピン４１ｄを挿通することにより作業機枠３ｃを作業位置Ｐに固定すると共に係止ピン４１ｄを挿通穴４１ｂ・４１ｃから抜き取り、係止ピン４１ｄを他の挿通穴４１ｂ・４１ｃに挿通することにより作業機枠３ｃを退避位置Ｑに引上回動して固定するように構成されている。
【００２１】
４２は予溝切体であって、図６の如く、上記機枠３に取付片４２ａを垂設し、取付片４２ａに予溝切体４２を車軸４２ｂにより回転自在に取付け、穿入ビーム４の進行方向前方位置に予条溝Ｆを形成するように構成している。
【００２２】
４３は転輪体であって、この場合、上記機枠３の左右両側位置に取付アーム４３ａ・４３ａを高低調節機構４３ｂにより高低調節自在に配置し、田面等の地表面Ｍに転輪体４３を接地させ、機枠３の安定走行を図るように構成している。
【００２３】
４４は安定部材であって、この場合、図１４の如く、安定部材４４には圃場面ａに当接可能な当接板面４４ａ及び掘り取られた掘取溝Ｕの内側面Ｕ１に当接可能な側当接板面４４ｂが形成され、上記取付アーム２８の後面に支持片４５を突設し、安定部材４４に連結片４６を形成し、支持片４５と連結片４６とを連結ピン４７により連結し、これにより安定部材４４を取付アーム２８に若干揺動自在に取付けている。
【００２４】
この実施の第一形態例は上記構成であるから、走行機体１の進行に伴い穿入ビーム４は進行方向に揺振動作しつつ圃場土中Ｗに穿入して穿入跡溝Ｓを形成し、この場合、犂体１５の穿入後方位置の弾丸体１７により暗渠Ｈを連続して形成し、上記穿入ビーム４の進行方向後方位置に配置された拡張部材１８は拡張機構１９により拡張動作し、穿入ビーム４により圃場土中Ｗの上下方向に延びて形成される穿入跡溝Ｓを拡張して地表面Ｍに開口する縦溝状の縦口路Ｔを形成することになり、この際、上記機枠３に圃場面ａの土を掬い取って側方に排出して縦口路形成位置Ｄに掘取溝Ｕを形成可能なすき部材２７を設け、すき部材２７により掘取溝Ｕを形成して上記縦口路Ｔを掘取溝Ｕ内に開口形成するように構成しているから、走行機体１の進行に伴いすき部材２７の下部は圃場面ａの土を掬い取って側方に排出して縦口路形成位置Ｄに掘取溝Ｕを形成することになり、穿入跡溝Ｓ及び縦口路Ｔが掘取溝Ｕ内に開口することにより穿入跡溝Ｓ及び縦口路Ｔの開口が圃場面ａの泥土により閉塞されることを抑制することができ、圃場面ａの水は掘取溝Ｕを介して穿入跡溝Ｓ及び縦口路Ｔの開口から圃場土中Ｗとしての芯土層及び暗渠Ｈに至ることになり、圃場面ａの地表面Ｍから芯土層及び暗渠Ｈまでの距離も短くなり、それだけ、圃場の排水性及び通気性を良好に保持することができ、水はけの良化、水管理、田面の乾田化、微生物繁殖の活性化、水稲等の根の深部への生育を良化することができる。
【００２５】
尚、上記縦口路Ｔの下端は適宜設定されるが、一般的に暗渠Ｈに届かない暗渠Ｈの近接位置に設定されることが望ましく、何故ならば、暗渠Ｈと縦口路Ｔとが連通状態であると縦口路Ｔの内面の土が暗渠Ｈ内に流入し、暗渠Ｈを閉塞することがあるからである。
【００２６】
又、この場合、図５の如く、上記機枠３に圃場面ａに散在する藁屑等の圃場散在物Ｅを側方に排出可能な前処理部材３５を上記穿入ビーム４の進行方向前方位置に設けてなるから、圃場面ａに散在する藁屑、株等の圃場散在物Ｅを前処理部材３５により側方に排出することができ、この場合、駆動機構９により取付円盤３５ａが回転駆動され、取付円盤３５ａに放射状に取付けられた複数個の排出部材３５ｂ・・からなる前処理部材３５により圃場面ａに散在する藁屑、株等の圃場散在物Ｅを側方に排出することができ、穿入ビーム４による穿入跡溝Ｓの形成抵抗を軽減することができ、穿入跡溝Ｓの形成作業性を向上することができ、又、この場合、図１１の如く、上記すき部材２７の進行方向前方位置に上記圃場面ａに側条溝Ｒ・Ｒを溝切可能な左右一対の側溝切体３７・３８を設けてなるから、側溝切体３７・３８は連れ回り回転しつつ進行してすき部材２７の進行方向前方位置の圃場面ａに左右一対の側条溝Ｒ・Ｒを切ることになり、先ず、側溝切体３７・３８で左右一対の側条溝Ｒ・Ｒを溝切りし、すき部材２７が溝切りされた左右一対の側条溝Ｒ・Ｒ間の土を掬い取って側方に排出することになり、すき部材２７による溝掘抵抗を軽減することができると共に走行機体１の牽引力増加を抑制することができ、溝掘作業性を向上することができる。
【００２７】
この場合、上記すき部材２７を作業位置Ｐと退避位置Ｑとに姿勢変更可能な退避機構４１を設け、この場合、図２の如く、上記機枠３を支持機枠３ｂと作業機枠３ｃにより形成し、作業機枠３ｃを支持機枠３ｂに対して作業位置Ｐと退避位置Ｑとに姿勢変更可能な退避機構４１を設けているから、不使用時や移動時においては、係止ピン４１ｄを挿通穴４１ｂ・４１ｃから抜き取ることにより作業機枠３ｃを退避位置Ｑに引上回動させることができ、それだけ作業姿勢及び退避の姿勢変更が容易となって溝掘作業性を向上することができ、又、この場合、上記穿入ビーム４の進行方向前方位置に上記圃場面ａに予条溝Ｆを溝切可能な予溝切体４２を設けてなるから、予溝切体４２は連れ回り回転しつつ進行して圃場面ａに予条溝Ｆを切り、予条溝Ｆの後から穿入ビーム４が進行方向に揺振動作しつつ穿入して穿入跡溝Ｓを形成するから、穿入跡溝Ｓの形成抵抗を低減することができ、穿入跡溝Ｓの形成作業性を向上することができる。
【００２８】
又、上記機枠３に圃場面ａ上を転動可能な転輪体４３を高低調節自在に設け、この場合、上記機枠３の左右両側位置に取付アーム４３ａ・４３ａを高さ調節機構４３ｂにより高低調節自在に設け、取付アーム４３ａ・４３ａに転輪体４３を配置しているから、田面等の地表面Ｍに転輪体４３を接地させることで、機枠３の安定走行を図ることができ、又、この場合、上記すき部材２７の横振れを抑制可能な安定部材４４を設けてなるから、安定部材４４によりすき部材２７の横振れを抑えることができ、溝掘作業を良好に行うことができ、かつ、上記すき部材２７の横振れを抑制可能な安定部材４４には圃場面ａに当接可能な当接板面４４ａ及び掘り取られた掘取溝Ｕの内側面Ｕ１に当接可能な側当接板面４４ｂが形成され、上記取付アーム２８の後面に支持片４５を突設し、安定部材４４に連結片４６を形成し、支持片４５と連結片４６とを連結ピン４７により連結し、安定部材４４を取付アーム２８に若干揺動自在に取付けているから、安定部材４４によりすき部材２７の横振れを抑えることができ、溝掘作業を良好に行うことができる。
【００２９】
図１６の第二形態例は別例構造を示し、この場合、上記第一形態例においては、左右一対の側溝切体３７・３８を採用しているが、第二形態例においては、片側一個の側溝切体３７としている。
【００３０】
この第二形態例においても、上記第一形態例とほぼ同様の効果を得ることができる。
【００３１】
尚、本発明は上記の形態例に限られるものではなく、走行機体１、連結機構２、揺振機構５、拡張部材１８、拡張機構１９、すき部材２７などは適宜変更して設計されるものである。
【００３２】
又、上記実施の形態例においては、穿入ビーム４の下端部に砲弾状の弾丸体１７を連結配置しているが、弾丸体１７を配置しない構造とすることもあり、すなわち、暗渠Ｈを形成しない構造とすることもあり、又、上記実施の形態例においては、上記すき部材２７を縦口路形成位置Ｄとしての穿入ビーム４及び拡張部材１８の進行方向後方位置に配置し、上記縦口路Ｔが形成された縦口路形成位置Ｄの圃場の土をすき部材２７により掬い取って側方に排出して掘取溝Ｕを形成するように構成しているが、すき部材２７を上記拡張部材１８の進行方向前方位置に配置し、先ず、上記縦口路Ｔが形成される縦口路形成位置Ｄに圃場の土をすき部材２７により掬い取って側方に排出して掘取溝Ｕを形成し、掘取溝Ｕを形成した後、上記拡張部材１８により縦口路Ｔを形成するように構成することもある。
【００３３】
以上の如く、所期の目的を充分達成することができる。
【符号の説明】
【００３４】
Ｗ    圃場土中
Ｓ    穿入跡溝
Ｍ    地表面
Ｔ    縦口路
Ｄ    縦口路形成位置
Ｐ    作業位置
Ｑ    退避位置
Ｆ    予条溝
ａ    圃場面
Ｕ    掘取溝
Ｕ１    内側面
Ｅ    圃場散在物
Ｒ    側条溝
１    走行機体
２    連結機構
３    機枠
４    穿入ビーム
５    揺振機構
１８    拡張部材
１９    拡張機構
２７    すき部材
３５    前処理部材
３７    側溝切体
３８    側溝切体
４１    退避機構
４２    予溝切体
４３    転輪体
４４    安定部材
４４ａ    当接板面
４４ｂ    側当接板面
【図１】
0006414749.tif 000002
【図２】
0006414749.tif 000003
【図３】
0006414749.tif 000004
【図４】
0006414749.tif 000005
【図５】
0006414749.tif 000006
【図６】
0006414749.tif 000007
【図７】
0006414749.tif 000008
【図８】
0006414749.tif 000009
【図９】
0006414749.tif 000010
【図１０】
0006414749.tif 000011
【図１１】
0006414749.tif 000012
【図１２】
0006414749.tif 000013
【図１３】
0006414749.tif 000014
【図１４】
0006414749.tif 000015
【図１５】
0006414749.tif 000016
【図１６】
0006414749.tif 000017